(57)【要約】【課題】  有機ＥＬ表示装置において、表示色の切り替えを効果的に行う。【解決手段】  単色表示を行う有機ＥＬパネル１０１と、有機ＥＬパネル１０１の前面に配置されたλ／４板１０２と、λ／４板の視認側に配置された偏光板１０３と、赤色系のカラー偏光板１０４を有している。偏光板１０３とカラー偏光板１０４の角度を調整することにより、色調整を行なうことができる。また、λ／４板１０２と偏光板１０３によって、有機ＥＬパネルの光反射を防止する。【選択図】  図１
2005166629.tif 000002
【特許請求の範囲】
【請求項１】
表示を行う表示領域を有する有機ＥＬパネルと、
前記有機ＥＬパネルの視認側に配置された偏光板と、
前記偏光板の視認側に配置されたカラー偏光板と、
を備えた有機ＥＬ表示装置。
【請求項２】
前記偏光板と前記有機ＥＬパネルとの間に配置された位相差板を備えた請求項１記載の有機ＥＬ表示装置。
【請求項３】
前記カラー偏光板の透過軸と前記偏光板の透過軸との間の角度が４０°〜９０°である請求項１乃至２いずれかに記載の有機ＥＬ表示装置。
【請求項４】
前記位相差板はλ／４板である請求項２乃至３いずれかに記載の有機ＥＬ表示装置。
【請求項５】
前記偏光板と前記カラー偏光板の配置場所を換えて前記偏光板を前記カラー偏光板の視認側に配置した請求項１乃至４いずれかに記載の有機ＥＬ表示装置。
【請求項６】
前記表示領域は単色光によって表示を行う、請求項１乃至５いずれかに記載の有機ＥＬ表示装置。
【請求項７】
前記カラー偏光板は赤紫色系カラー偏光板である、請求項１または２に記載の有機ＥＬ表示装置。
【請求項８】
前記赤紫色系カラー偏光板は、前記偏光板との直交配置における透過率が、波長４４０nmにおいて２５〜５５％、波長５５０nmにおいて４％以下、波長６３０nmにおいて３５〜８０％である、請求項７に記載の有機ＥＬ表示装置。
【請求項９】
前記赤紫色系カラー偏光板の透過軸と前記偏光板の透過軸との間の角度が３０°〜６０°である請求項７乃至８いずれかに記載の有機ＥＬ表示装置。
【請求項１０】
表示を行う表示領域を有する有機ＥＬパネルの視認側に偏光板を配置するステップと、
前記偏光板の視認側にカラー偏光板を配置するステップと、
前記偏光板とカラー偏光板の相対的な角度を調整することにより、色調整を行なうステップとを備えた有機ＥＬ表示装置の製造方法。
【発明の詳細な説明】
【技術分野】
【０００１】
本発明は有機ＥＬ表示装置及びその製造方法に関し、特に、カラー偏光板を備えた有機ＥＬ表示装置及びその製造方法に関する。
【背景技術】
【０００２】
近年の情報通信分野における急速な技術開発の進展に伴い、ＣＲＴに代わるフラットディスプレイに大きな期待が寄せられている。なかでも有機ＥＬ（Electro Luminescence）ディスプレイは、高速応答性、視認性、輝度などの点において優れているため、盛んに研究がなされている。当初の有機ＥＬ素子構造は、有機薄膜の２層積層構造を有し、発光層にトリスアルミニウムを使用し、１０Ｖ以下の低電圧駆動によって緑色の発光を生じ、１０００ｃｄ／ｍ2の輝度が得られた。
【０００３】
最近の研究においては、正孔注入電極と電子注入電極に挟まれた有機層が１〜１０層程度の様々な積層型の有機ＥＬ素子が開発されている。有機ＥＬ材料に関しては、低分子を使用するもの、あるいは高分子を使用するものが研究されている。有機ＥＬ素子の製造方法としては、低分子化合物を真空蒸着法等により薄膜形成する方法のみならず、高分子系化合物をスピンコート法、インクジェット、ダイコート、フレキソ印刷といった方法で薄膜形成して有機ＥＬ素子を形成する方法が提案されている。
【０００４】
有機ＥＬ素子は、有機薄膜層を挟む正孔注入電極と電子注入電極の間に電圧を印加することによって、電流駆動によって有機ＥＬ素子を発光させる。駆動方法としては、画素を構成する有機ＥＬ素子の選択のためにスイッチ素子を使用するアクティブ駆動、あるいは、スイッチ素子を使用しないパッシブ駆動などが知られている。
【０００５】
有機ＥＬディスプレイは、単色発光によって表示を行うものや、部分的に異なる色で表示するエリアカラー表示、あるいは、フルカラーの表示を行うものが知られている。単色有機ＥＬディスプレイは、単色の有機ＥＬ素子を備えており、例えば、赤色、青色、緑色あるいは白色の発光を行う有機ＥＬ素子が知られている。
【０００６】
一方、カラー表示を行う有機ＥＬ素子は、表示領域を複数のエリアに区分し、各エリアで異なる色の表示を行うエリアカラー表示を行う有機ＥＬディスプレイや、各画素がＲＧＢの色を表示することによってカラー表示を行う有機ＥＬディスプレイが知られている。画素レベルでＲＧＢの異なる色を表示するために、有機ＥＬ素子の有機層がＲＧＢのいずれかの色で発光するもの、あるいは、白表示を行う有機ＥＬ素子の前にＲＧＢのカラーフィルタ層を形成することによってカラー表示を行うものなどが知られている。
【０００７】
尚、モノクロームの画像表示装置にカラー偏光板を適用してカラー画像表示装置を構成することが知られている（特許文献１を参照）。具体的には、モノクローム陰極線管の蛍光面の混合蛍光体は、波長４５０〜４８０ｎｍの青色発光蛍光体、波長５２０ｎｍ〜５５０ｎｍの緑色発光蛍光体、波長６００〜６３０ｎｍの赤色発光蛍光体である。
【０００８】
モノクローム陰極線管の前に設置される３枚のカラー偏光フィルタは、それぞれ波長５５０ｎｍ以下、波長５２０ｎｍ以上波長７１０ｎｍ以下、波長４８０ｎｍ以下および波長６００ｎｍ以上の波長域で吸収軸の透過率が２０％以下である。カラー偏光フィルタ相互間の透過スペクトルの重なり部分に存在する蛍光面の発光をきわめて低く抑制でき、不必要なスペクトルの混入を抑制して混色を防止し、色純度の低下を抑制する。
【特許文献１】特開２００１−１１２０１３号公報
【発明の開示】
【発明が解決しようとする課題】
【０００９】
有機ＥＬ材料は、色純度、発光効率、寿命等の問題を有しているため、かかる材料を用いて製造される有機ＥＬディスプレイは、個々に表示性能にばらつきがある。このとき、好みの発光色に調整することは極めて困難である。
【００１０】
従って、本発明の一つの目的は、発光色の色調整を容易に行なうことが可能な有機ＥＬ表示装置を提供することである。本発明の他の目的は、有機ＥＬ表示装置の表示品質を向上することである。
【課題を解決するための手段】
【００１１】
本発明にかかる有機ＥＬ表示装置は、表示を行う表示領域を有する有機ＥＬパネルと、前記有機ＥＬパネルの視認側に配置された偏光板と、前記偏光板の視認側に配置されたカラー偏光板とを備えたものである。このような構成を有するので、偏光板とカラー偏光板の角度を調整することにより、極めて容易に色調整を行なうことができる。
【００１２】
さらに、前記偏光板と前記有機ＥＬパネルとの間に配置された位相差板を備えることが望ましい。これにより、反射光を抑制し、コントラストを高くし、視認性を向上させることができる。
【００１３】
好適な実施の形態によれば、前記カラー偏光板の透過軸と前記偏光板の透過軸との間の角度は４０°〜９０°である。このような角度であれば、着色や色調整を容易に行なうことができる。また、前記位相差板はλ／４板であることが望ましい。
【００１４】
尚、前記偏光板と前記カラー偏光板の配置場所を換えて前記偏光板を前記カラー偏光板の視認側に配置するようにしても同様の効果を奏する。また、好適な実施の形態における表示領域は単色光によって表示を行うものである。
【００１５】
好ましいカラー偏光板のひとつは、赤紫色系カラー偏光板である。これによって、有機ＥＬパネルが緑かかった白色光を発光する場合において、視認される色を効果的に白色化することができる。白色化の観点から、前記赤紫色カラー偏光板は、前記偏光板との直交配置における透過率が、波長４４０nmにおいて２５〜５５％、波長５５０nmにおいて４％以下、波長６３０nmにおいて３５〜８０％であることが好ましい。あるいは、前記赤紫色系カラー偏光板の透過軸と前記偏光板の透過軸との間の角度が３０°〜６０°であることが好ましい。この角度範囲において、有機ＥＬ表示装置の発光色を白色化できると共に、輝度の大きな低下を防止することができる。
【００１６】
本発明にかかる有機ＥＬ表示装置の製造方法は、表示を行う表示領域を有する有機ＥＬパネルの視認側に偏光板を配置するステップと、前記偏光板の視認側にカラー偏光板を配置するステップと、前記偏光板とカラー偏光板の相対的な角度を調整することにより、色調整を行なうステップとを備えたものである。このような方法によれば、偏光板とカラー偏光板の角度を調整することにより、極めて容易に色調整を行なうことができる。
【発明の効果】
【００１７】
本発明によれば、有機ＥＬ表示装置において発光色の色調整を容易に行なうことができる。
【発明を実施するための最良の形態】
【００１８】
以下に、本発明を適用可能な実施の形態が説明される。以下の説明は、本発明の実施形態を説明するものであり、本発明が以下の実施形態に限定されるものではない。説明の明確化のため、以下の記載及び図面は、適宜、省略及び簡略化がなされている。又、当業者であれば、以下の実施形態の各要素を、本発明の範囲において容易に変更、追加、変換することが可能である。
【００１９】
図１は、本実施形態における表示装置１００の概略構成を示す断面図である。図１において、１０１は、画像表示を行うことができる有機ＥＬ（Electro Luminescence）パネル（（ＯＬＥＤ（Organic Light Emitting Diode）））、１０２は位相差板の一例であるλ／４板、１０３は所定方向に振動する直線偏光を選択的に透過する偏光板である。１０４はカラー偏光板である。表示装置１００において、視認側から、カラー偏光板１０４、偏光板１０３、λ／４板１０２、有機ＥＬパネル１０１の順に積層配置されている。
【００２０】
有機ＥＬパネル１０１は、典型的には、単色光による表示を行う。好ましくは、白色光を発光する有機ＥＬ素子を使用する有機ＥＬパネルが使用される。有機ＥＬパネル１０１は、ドット表示あるいはセグメント表示などによって、画像あるいは文字などの情報表示を行うことができる。尚、以下の記載においては、この白発光有機ＥＬパネルを例として説明される。
【００２１】
図２を参照して、カラー偏光板１０４の機能について説明する。カラー偏光板１０４は、透過軸と平行な方向に振動する直線偏光を可視光域のほぼ全域において透過し、透過軸と垂直な方向に振動する直線偏光を、所定の波長域について選択的に透過する。図２に示すように、カラー偏光板１０４の透過軸が紙面上の左右方向と平行である場合を例として説明する。
【００２２】
図２に示すように、自然光３０１がカラー偏光板１０４に入射すると、紙面と平行な透過軸方向の直線偏光は、可視光全波長領域（白色光）において、カラー偏光板１０４を透過する。透過軸と垂直方向（紙面垂直方向）の直線偏光は、所定波長域においてのみ、カラー偏光板１０４を透過する。赤色系カラー偏光板を例とすれば、カラー偏光板１０４は赤色の光を選択的に透過する。他の波長域の光は、カラー偏光板１０４に大きく吸収される。
【００２３】
一方、図２に示すように、紙面と平行な透過軸方向の白色直線偏光３０２がカラー偏光板１０４に入射すると、その白色直線偏光がカラー偏光板１０４を透過する。あるいは、透過軸方向と垂直方向（紙面垂直方向）の白色直線偏光３０３がカラー偏光板１０４に入射すると、カラー偏光板１０４は、所定色の紙面垂直方向の直線偏光を選択的に透過する。本例においては赤系の色が透過される。他の波長域の光は、カラー偏光板１０４に大きく吸収される。以上のように、カラー偏光板１０４は、入射光の偏光方向に応じて、透過光の波長を変化させる。
【００２４】
カラー偏光板１０４の光学特性は、カラー偏光板を製造する際に自由に設定することができる。カラー偏光板は、例えば、２色性色素を高分子に含浸配向させることによって形成することができる。図３は、赤色系カラー偏光板（図３（ａ））と青色系カラー偏光板（図３（ｂ））のそれぞれの光学特性の一例を示している。図３の各グラフにおいて、Ｘ軸は光の波長を示しており、Ｙ軸は光の透過率を示している。
【００２５】
各グラフにおいて、カラー偏光板単体に光を入射した場合、カラー偏光板の他にもう一枚の偏光板を用意し、その偏光板とカラー偏光板との透過軸が平行に配置されている場合（平行配置）、偏光板とカラー偏光板との透過軸が直交配置されている場合（直交配置）、のそれぞれの透過率と波長の関係が示されている。図３に示すように、各カラー偏光板は、透過軸と直交方向の直線偏光が入射すると、所定波長域以外の光を大きく吸収する。尚、図から理解されるように、各カラー偏光板は、赤あるいは青などの指定色以外の光の一部についても、相応の透過率を有することができる。
【００２６】
表示装置１００の光学的動作について、図４を参照して説明する。図４は、表示装置１００の構成要素の方向性を示している。偏光板１０３の透過軸とカラー偏光板１０４の透過軸のなす角度をθとする。図４においては、θが０°（平行配置）、θが９０°（直交配置）を図示している。λ／４板１０２の延伸軸と偏光板１０３の透過軸の角度は、反射光を効果的に防止するためにほぼ４５°が好ましい。
【００２７】
次に表示装置１００による表示動作について説明する。図５（ａ）はθ＝０°の状態にある表示装置１００を示している。図５（ｂ）はθ＝９０°の状態にある表示装置１００を示している。図５における各構成要素の軸方向は、図４に示された好ましい一例と同一である。
【００２８】
図５（ａ）に示すように、θ＝０°の状態にあるにある場合、有機ＥＬパネル１０１からの白色光はカラー偏光板１０４を透過し、ユーザに対して白色の表示色による表示画面が示される。一方、θ＝９０°の状態にある場合、図５（ｂ）に示すように、有機ＥＬパネル１０１からの白色光の内の所定波長の光が透過する。本例においては、赤色の光がカラー偏光板１０４を透過し、ユーザに対して赤色の表示色による表示画面が示される。
【００２９】
まず、偏光板１０３とλ／４板１０２による反射防止機能について説明する。視認側から光が有機ＥＬパネル１０１に入射すると、有機ＥＬパネル１０１内の金属電極などによって入射光が反射される。この反射光は、表示画像の視認性の低下あるいはコントラストの低下をもたらす。このため、有機ＥＬパネル１０１による反射光を抑制することが好ましい。有機ＥＬパネル１０１の前面に配置されたλ／４板１０２、及びそのλ／４板１０２の前に配置された偏光板１０３によって、有機ＥＬパネル１０１による反射光を遮断することができる。
【００３０】
視認側から入射した光の内、偏光板１０３の透過軸方向に平行な直線偏光成分のみが、偏光板１０３を透過する。図５の例においては、紙面と平行な方向の直線偏光のみが、偏光板１０３を透過し、偏光板１０３は他の成分の光を透過しない。偏光板１０３を透過した直線偏光は、λ／４板１０２によって円偏光に変換され、有機ＥＬパネル１０１に入射する。
【００３１】
有機ＥＬパネル１０１によって反射された光は再びλ／４板１０２に入射し、円偏光状態から直線偏光状態に変換される。この直線偏光の偏光方向は、偏光板１０３からλ／４板１０２に入射した直線偏光と９０°ずれており、これらは直交している。λ／４板１０２によって直線偏光に変換された光の偏光方向は、偏光板１０３の透過軸と直交であるので、有機ＥＬパネル１０１による反射光は偏光板１０３を透過することなく、偏光板１０３で遮光される。これによって、有機ＥＬパネル１０１による反射光を遮断することができる。
【００３２】
次に、有機ＥＬパネル１０１からの白色光の状態変化について説明する。有機ＥＬパネル１０１から照射された白色光はλ／４板１０２を透過し、偏光板１０３に入射する。偏光板１０３によって、偏光板１０３の透過軸方向に振動する直線偏光成分の光が、選択的に透過される。本例においては、紙面と平行な偏光方向の直線偏光が偏光板１０３を透過する。
【００３３】
θ＝０°の状態である場合、偏光板１０３を透過した直線偏光は、カラー偏光板１０４に入射する。図５（ａ）に示すように、カラー偏光板１０４の透過軸と直線偏光の偏光方向は平行である。従って、カラー偏光板１０４は入射光の可視光域において光を透過し、有機ＥＬパネル１０１からの白色光が、色変化されることなく表示面において表示される。
【００３４】
次に、θ＝９０°の状態である場合について、図５（ｂ）を参照して説明する。有機ＥＬパネル１０１から照射された白色光はλ／４板１０２を透過し、偏光板１０３に入射する。偏光板１０３によって、偏光板１０３の透過軸方向に振動する直線偏光成分の光が、選択的に透過される。本例においては、紙面と平行な偏光方向の直線偏光が偏光板１０３を透過する。
【００３５】
偏光板１０３を透過した直線偏光は、カラー偏光板１０４に入射する。このとき、直線偏光の偏光方向は、偏光板１０３の透過軸方向と平行であり、つまり、紙面と平行な方向である。カラー偏光板１０４の透過軸は、偏光板１０３の透過軸に対してほぼ９０°の角度であり、紙面と垂直な方向である。従って、カラー偏光板１０４に入射した直線偏光の内、所定波長域の光のみが透過し、有色光が表示面において視認される。本例においては、赤色光によって画像が表示される。
【００３６】
図５においては、θ＝０°、９０°について示したが、偏光板１０３とカラー偏光板１０４の相対的な角度を調整することによって、発光色を調整することが可能となる。より具体的には、カラー偏光板１０４が赤色系カラー偏光板である場合には、赤みを強くしようとすれば、θが９０°に近くなるように角度調整し、赤みを弱くしようとすれば、θが０°に近くなるように角度調整すればよい。同様に、カラー偏光板１０４が青色系カラー偏光板である場合には、青みを強くしようとすれば、θが９０°に近くなるように角度調整し、青みを弱くしようとすれば、θが０°に近くなるように角度調整すればよい。
【００３７】
色調整は、表示装置１００を製造する際に行なうことができる。具体的には、まず、有機ＥＬパネル１０１の視認側にλ／４板１０２を配置する。次に、このλ／４板１０２の視認側に偏光板１０３を配置する。さらに偏光板１０３の視認側にカラー偏光板１０４を配置する。その後、偏光板１０３とカラー偏光板１０４の相対的な角度を調整することにより、色調整を行なう。尚、色調整は、出荷後にユーザにより実行することも可能である。そのためには、偏光板１０３とカラー偏光板１０４を相対的に回動可能な表示装置とする必要がある。
【００３８】
白色発光の有機ＥＬ材料としてはいくつかのものが知られているが、発光効率、寿命などの観点から選択される材料は限られている。そのため、一般に使用可能な白色発光の有機ＥＬ材料は緑色がかった白色であり、有機ＥＬ材料のみによる発光色の純白色化は困難である。上記のように、本発明の有機ＥＬ表示装置１００は、有機ＥＬパネル１０１の視認側に偏光板１０３とカラー偏光板１０４を備えている。カラー偏光板１０４として、赤紫色系カラー偏光板を使用することによって、発光効率、寿命の点において優れ、より純白色に近い白色表示を行うことが可能となる。
【００３９】
白色特性の観点から、赤紫色系カラー偏光板の直交配置における透過率は、波長４４０nmにおいて２５〜５５％、波長５５０nmにおいて４％以下そして波長６３０nmにおいて３５〜８０％であることが好ましい。また、赤紫色系カラー偏光板の透過軸と偏光板の透過軸との間の角度は３０°〜６０°が好ましい。さらに好ましくは、赤紫色系カラー偏光板の透過軸と偏光板の透過軸との間の角度は４０°〜６０°である。好ましい赤紫色系カラー偏光板の一例について、その光学特性を図６に示す。
【００４０】
赤紫色系カラー偏光板の透過軸と偏光板の透過軸との間の角度が上記角度より小さい場合、色相の変化が小さく、発光色は緑がかった白色となる。一方、赤紫色系カラー偏光板の透過軸と偏光板の透過軸との間の角度が上記角度より大きい場合、輝度が小さくなると同時に、色相（色度）も白色からはずれていく。従って、色相及び輝度の観点から、赤紫色系カラー偏光板の透過軸と偏光板の透過軸との間の角度が上記角度範囲にあることが好ましい。
【００４１】
以上説明したように、本発明にかかる有機ＥＬ表示装置は、有機ＥＬパネル１０１の視認側に偏光板１０３とカラー偏光板１０４を備えているため、かかる偏光板１０３とカラー偏光板１０４の角度を調整するだけで極めて容易に発光色を調整することができる。特に、有機ＥＬパネル１０１に発光色のばらつきがある場合であっても単に偏光板１０３とカラー偏光板１０４の角度を調整するだけで、均一な表示性能を有する有機ＥＬ表示装置を提供できるため、歩留りを向上させることができる。
【００４２】
ここで、有機ＥＬパネル１０１の発光色のばらつきを修正するためにカラーフィルタを用いたとすると、発光色に応じて異なる色特性を有するカラーフィルタを多数用意する必要があるためコスト高となる。これに対して、本発明においては、カラー偏光板１０４を基本的に取り替える必要がないため、コスト面での効果が高い。
【００４３】
尚、上述の例では、反射光の防止の観点からλ／４板１０２を設けていたが、かかるλ／４板を設けなくても、少なくとも偏光板１０３、カラー偏光板１０４を有していれば、色調整を容易に実現できる。また、偏光板１０３とカラー偏光板１０４の位置は、逆であってもよい。即ち、視認側から偏光板１０３、カラー偏光板１０４と配置してもよい。
【００４４】
実施例１．
実施例１にかかる表示装置１００は、図１に示す構成を有する。カラー偏光板１０４として、赤色系カラー偏光板（（株）ポラテクノ製  Ｒ−１８２５５Ｔ）を使用し、偏光板１０３として（株）ポラテクノ製ＳＫＮ−１８２４３Ｔを使用した。λ／４板１０２としては、ΔｎＦ・ｄＦ＝１４０ｎｍのλ／４板を使用した。有機ＥＬパネル１０１は、白色光を発光する。
【００４５】
偏光板１０３とカラー偏光板１０４の透過軸の角度をθとし、θ＝０°、３０°、４５°、６０°、９０°の場合、カラー偏光板１０４を設けない場合のそれぞれについて、発色特性について測定した。測定結果を表１に示す。
【００４６】
【表１】
2005166629.tif 000003
【００４７】
尚、表１において、ｘ、ｙは、それぞれｘ−ｙ色度座標における、ｘ及びｙ座標値を示している。この点は、以下に示す他の表において同様である。表１に示されるように、θ＝０°で白色、θ＝９０°で赤色が得られた。θ＝０〜３０°では有機ＥＬパネル１０１の発光光と殆ど変わらないため、着色や色調整にはθ＝４０°乃至９０°が良好であることが判る。
【００４８】
実施例２．
実施例２にかかる表示装置１００は、図１に示す構成を有する。カラー偏光板１０４として、青色系カラー偏光板（（株）ポラテクノ製  Ｖ３２−１８２４５Ｔ）を使用し、偏光板１０３として（株）ポラテクノ製ＳＫＮ−１８２４３Ｔを使用した。λ／４板１０２としては、ΔｎＦ・ｄＦ＝１４０ｎｍのλ／４板を使用した。有機ＥＬパネル１０１は、白色光を発光する。
【００４９】
偏光板１０３とカラー偏光板１０４の透過軸の角度をθとし、θ＝０°、３０°、４５°、６０°、９０°の場合、カラー偏光板１０４を設けない場合のそれぞれについて、発色特性について測定した。測定結果を表２に示す。
【００５０】
【表２】
2005166629.tif 000004
【００５１】
表２に示されるように、θ＝０°で白色、θ＝９０°で青色が得られた。θ＝０〜３０°では有機ＥＬパネル１０１の発光光と殆ど変わらないため、着色や色調整にはθ＝４０°乃至９０°が良好であることが判る。
【００５２】
前述の記載においては、本発明の表示装置に用いられる有機ＥＬパネルとして白発光の有機ＥＬパネルを例として説明したが、他の発光色の有機ＥＬパネルを用いても良い。例えば、有機ＥＬパネルとして橙色発光の有機ＥＬパネルを用い、λ／４板、偏光板および赤色系カラー偏光板と組み合わせた構成の表示装置とすると、発光効率が高く、かつ、発光寿命が長い６００ｎｍから６０５ｎｍ色相のアンバー色表示の表示装置が得られ、本発明の表示装置においては、アンバー色の微調整が容易となる。
【００５３】
実施例３．
実施例３にかかる表示装置１００は、図１に示す構成を有する。カラー偏光板１０４として、赤色系カラー偏光板（（株）ポラテクノ製Ｒ−１８２５５Ｔ）を使用し、偏光板１０３として（株）ポラテクノ製ＳＫＮ−１８２４３Ｔを使用した。λ／４板１０２としては、ΔｎＦ・ｄＦ＝１４０ｎｍのλ／４板を使用した。有機ＥＬパネル１０１は、橙色光を発光するものを使用した。
【００５４】
偏光板１０３とカラー偏光板１０４の透過軸の角度をθとし、θ＝９０°の場合、輝度が６８ｃｄ／ｍ２、ｘ−ｙ色座標（ｘ，ｙ）が（０．６２４，０．３７５）となり、良好なアンバー色が得られた。また、輝度を１００ｃｄ／ｍ２に調整し、８５℃の通電試験を実施したところ、初期状態から２０％の輝度低下となるまでの発光寿命が５００時間であった。
【００５５】
実施例４．
実施例４にかかる表示装置１００は、図１に示す構成を有する。カラー偏光板１０４として、赤紫色系カラー偏光板（（株）ポラテクノ製  Ｖ３６−１８２４５Ｔ）を使用し、偏光板１０３として（株）ポラテクノ製ＳＫＮ−１８２４３Ｔを使用した。位相差板１０２としては、ΔｎＦ・ｄＦ＝１４０ｎｍのλ／４板を使用した。赤紫色系カラー偏光板の偏光板との直交配置における透過率は、波長４４０nmにおいて３５．３％、波長５５０nmにおいて１．３％そして波長６３０nmにおいて５４．２％であった。
【００５６】
偏光板と赤紫色系カラー偏光板の透過軸の角度をθとし、θ＝０〜９０°におけるいくつかの角度において、さらに、赤紫色系カラー偏光板を設けない場合において、輝度及び色度を測定した。測定結果を表３に示す。
【００５７】
【表３】
2005166629.tif 000005
【００５８】
赤紫色系カラー偏光板を設けない場合、有機ＥＬパネル自体の発光色は緑がかった白色であった。θ＝３０°〜６０°の範囲、特に、４０°〜６０°の範囲が白色化の観点から良好であった。また、θが増加するにつれて輝度の低下が見られ、θ＝６０°より大きい場合、輝度低下が大きく、暗い表示となった。
【図面の簡単な説明】
【００５９】
【図１】本実施形態における表示装置の概略構成を示す分解斜視図である。
【図２】本実施形態におけるカラー偏光板の光学機能を説明する図である。
【図３】本実施形態におけるカラー偏光板の光学特性を示す図である。
【図４】本実施形態における表示装置の構成要素の軸配置を示す図である。
【図５】本実施形態における表示装置の表示動作を説明する図である。
【図６】本実施形態におけるカラー偏光板の光学特性を示す図である。
【符号の説明】
【００６０】
１００  表示装置
１０１  有機ＥＬパネル
１０２  λ／４波長板
１０３  偏光板
１０４  カラー偏光板
【図１】
2005166629.tif 000006
【図２】
2005166629.tif 000007
【図３】
2005166629.tif 000008
【図４】
2005166629.tif 000009
【図５】
2005166629.tif 000010
【図６】
2005166629.tif 000011